(57)【要約】    【課題】室内側からの施工が可能で、長期にわたり断熱材における結露を防止できると共に、室内側から断熱材への湿気の流出が確実に防止できる構造の断熱パネルと建物を提供する。    【解決手段】建物の木材で組まれた開口部に嵌め込まれる板状の発泡樹脂製成形材でなる断熱材１を有する。断熱材１の室内側の面に貼り付けられ、周囲に前記開口部を構成する木材に固定するためのはみ出し状の取付け縁２ａ、２ｂを設けた防湿シート２を有する。断熱材１は室内側の幅が室外側の幅より大きいテーパー形をなす。また、断熱材１の室内側の面の少なくとも両側に、幅の縮小を容易化する溝５を有する。【選択図】図２
2007085095.tif 000002
【特許請求の範囲】
【請求項１】
建物の木材で組まれた軸組内に嵌め込まれる板状の発泡樹脂製成形材でなる断熱材と、
前記断熱材の室内側の面に貼り付けられ、前記断熱材の周囲よりはみ出させて取付け縁を形成した防湿シートとからなる
ことを特徴とする断熱パネル。
【請求項２】
建物の木材で組まれた軸組内に嵌め込まれる板状の発泡樹脂製成形材でなる断熱材と、
前記断熱材の室内側の面に貼り付けられ、前記断熱材の周囲よりはみ出させて取付け縁を形成した防湿シートとからなり、
前記断熱材は室内側の幅が室外側の幅より大きいテーパー形をなすと共に、室内側の少なくとも両側に、幅の縮小を容易化する溝を有する
ことを特徴とする断熱パネル。
【請求項３】
建物の木材で組まれた軸組内に嵌め込まれる板状の発泡樹脂製成形材でなる断熱材と、
前記断熱材の室内側の面に貼り付けられ、前記断熱材の周囲よりはみ出させて取付け縁を形成した防湿シートとからなり、
前記断熱材の室内側に、スイッチボックスを収容する切り欠き穴を設けるための溝およびコンセントボックスを収容する切り欠き穴を設けるための溝の少なくともいずれかを有する
ことを特徴とする断熱パネル。
【請求項４】
建物の木材で組まれた軸組内に嵌め込まれる板状の発泡樹脂製成形材でなる断熱材と、
前記断熱材の室内側の面に貼り付けられ、前記断熱材の周囲よりはみ出させて取付け縁を形成した防湿シートとからなり、
前記断熱材は、室内側に、電気配線を収容するための溝を有する
ことを特徴とする断熱パネル。
【請求項５】
請求項１から４までのいずれかに記載の断熱パネルを有する
ことを特徴とする建物。
【発明の詳細な説明】
【技術分野】
【０００１】
本発明は、建物の軸組等に室内側から組み込まれる発泡樹脂製断熱材からなる断熱パネルと建物に関する。
【背景技術】
【０００２】
軸組に組み込まれる断熱パネルとして、柱の室外面の面に固定される面板の室内側の面に、発泡樹脂製断熱材でなる断熱板を固定し、断熱板を軸組内に嵌め込む構造のものがある（例えば特許文献１参照。）。また、室内外の断熱構造を実現する部材として、繊維を合成樹脂製シートで包み、軸組内等に組み込む構造のものがある。
【０００３】
【特許文献１】特開平１１−２８０１７１号公報
【発明の開示】
【発明が解決しようとする課題】
【０００４】
前述した特許文献１に記載の断熱パネルは、軸組の室外側に面材を固定する構造であるため、軸組の室外側に斜めに固定される筋交いを固定する構造の建物には採用できないという問題点がある。
【０００５】
これに対し、繊維を合成樹脂製シートで包んでなる断熱材は、これを軸組内に収容して取付けることにより、前記筋交いを軸組の室外側または室外側寄りもしくはこれらを併用する時に設けるものにも採用可能である。しかしながら、この繊維を用いるものは、シートの上下端が開口されており、湿気がシートの上下の開口部から内部の繊維に浸入し、結露を生じて黒変し、このために除々に断熱性が低下していくという問題点がある。また、室内側の湿気が前記シート内に浸入して結露を発生させ、繊維の劣化を促進して断熱性を低下させるという問題点がある。
【０００６】
本発明は、上記事情に鑑みてなされたもので、室内側からの施工が可能で、長期にわたり断熱材における結露を防止できると共に、室内側から断熱材への湿気の流出が確実に防止できる構造の断熱パネルと建物を提供することを目的とする。
【課題を解決するための手段】
【０００７】
請求項１の断熱パネルは、建物の木材で組まれた軸組内に嵌め込まれる板状の発泡樹脂製成形材でなる断熱材と、
前記断熱材の室内側の面に貼り付けられ、前記断熱材の周囲よりはみ出させて取付け縁を形成した防湿シートとからなる
ことを特徴とする。
【０００８】
請求項２の断熱パネルは、建物の木材で組まれた軸組内に嵌め込まれる板状の発泡樹脂製成形材でなる断熱材と、
前記断熱材の室内側の面に貼り付けられ、前記断熱材の周囲よりはみ出させて取付け縁を形成した防湿シートとからなり、
前記断熱材は室内側の幅が室外側の幅より大きいテーパー形をなすと共に、室内側の少なくとも両側に、幅の縮小を容易化する溝を有する
ことを特徴とする。
【０００９】
請求項３の断熱パネルは、建物の木材で組まれた軸組内に嵌め込まれる板状の発泡樹脂製成形材でなる断熱材と、
前記断熱材の室内側の面に貼り付けられ、前記断熱材の周囲よりはみ出させて取付け縁を形成した防湿シートとからなり、
前記断熱材の室内側に、スイッチボックスを収容する切り欠き穴を設けるための溝およびコンセントボックスを収容する切り欠き穴を設けるための溝の少なくともいずれかを有する
ことを特徴とする。
【００１０】
請求項４の断熱パネルは、建物の木材で組まれた軸組内に嵌め込まれる板状の発泡樹脂製成形材でなる断熱材と、
前記断熱材の室内側の面に貼り付けられ、前記断熱材の周囲よりはみ出させて取付け縁を形成した防湿シートとからなり、
前記断熱材は、室内側に、電気配線を収容するための溝を有する
ことを特徴とする。
【００１１】
請求項５の建物は、請求項１から４までのいずれかの断熱パネルを有する
ことを特徴とする。
【発明の効果】
【００１２】
請求項１の発明においては、発泡樹脂製断熱材の室内側に防湿シートを貼り付けたものであり、室内側からの断熱パネルの取付けが可能となる。また、本発明においては、発泡樹脂製の断熱材を用いるので、繊維を断熱材に用いた場合のように、湿気が内部に浸入して結露し、断熱材を劣化させることがない。また、断熱材の室内側に防湿シートを設けたので、室内側の湿気が断熱材側に流出して結露することが防止され、断熱材における結露が防止される。また、この防湿シートは隙間風の防止の役目を果たす。
【００１３】
請求項２の発明においては、前記断熱材は室内側の幅が室外側の幅より大きいテーパー形をなすと共に、室内側の少なくとも両側に、幅の縮小を容易化する溝を有するので、軸組内への断熱パネルの挿入が容易となると共に、柱や間柱等のサイズによこれらの間の間隔が狭い時には、溝の幅が縮小して断熱材の幅を縮小できるので、軸組内開口部の幅の相違に容易に対応できる。また、断熱パネルと軸組との密着性が向上する。
【００１４】
請求項３の発明においては、前記断熱材の室内側に、スイッチボックスを収容する切り欠き穴を設けるための溝およびコンセントボックスを収容する切り欠き穴を設けるための溝の少なくともいずれかを有するので、切り欠き穴の形成が容易となる。
【００１５】
請求項４の発明においては、前記断熱材は、室内側に、電気配線を収容するための溝を有するので、電気配線が断熱パネルにより保護されると共に、屋内配線が整然となり、その後の内装仕上げの邪魔にならない。
【００１６】
請求項５の発明においては、建物が前記断熱パネルを有するので、前記各効果をあげることができる。
【発明を実施するための最良の形態】
【００１７】
図１(A)、(B)はそれぞれ本発明による断熱パネルの一実施の形態を示す側面図および室外側から見た正面図、図２（A）はこの断熱パネルの平面図、図２（B）は軸組への取付け状態を示す平面図である。図１、図２において、１は発泡樹脂製成形材でなる断熱材、２はその室内側の面に熱圧着や接着により貼り付けられた合成樹脂製の防湿シートである。
【００１８】
前記断熱材１は金型内で原料となる合成樹脂を加熱して発泡材として成形されたものである。本実施の形態においては、この断熱材１が複数の断熱材素体１ａ〜１ｃによって構成されたものを示す。
【００１９】
図３（A）は前記断熱材１を室内側から見た背面図、図３（B）、（Ｃ）はその断熱材素体１ａ、１ｂ間の結合構造を示す図であり、一方の断熱材素体１ｂには断熱材素体１ｂのほぼ半分の厚みの部分を延出させ、その延出部３は先端を拡大した複数の延出部３ａ〜３ｃを有する構造とする。他方の断熱材素体１ａは前記延出部３が嵌まる凹部４を断熱材素体１ａの半分の厚みに形成し、この凹部４は、前記複数の延出部３ａ〜３ｃがそれぞれはまる形状の受部４ａ〜４ｃを有する。そして、断熱材素体１ａと１ｂとは、前記延出部３を前記凹部４に図１（Ａ）、（Ｂ）、図３（Ａ）に示すように嵌合して結合している。
【００２０】
この結合構造により、図３（Ａ）の矢印Ｒで示すような相対的は回動と、矢印Ｓで示すような抜け出しを防止し、また、前記防湿シート１を貼り付けることにより、断熱材素体１ａ〜１ｃどうしがその断面の垂直方向にずれることを防止している。
【００２１】
断熱材１は、柱（または間柱）、間柱、土台、胴差、まぐさおよび窓台からなる１階の軸組、あるいは柱（または間柱）、間柱、胴差、妻梁、まぐさおよび窓台からなる２階の軸組あるいは天井の垂木、軒桁および母屋等で囲まれた開口部、または床を構成する木材間の開口部に嵌め込まれるもので、図２に示すように、断熱材１の両側の側面８はテーパー形に形成し、室内側の面の左右に、幅の縮小を容易化するための溝５を縦方向に全長にわたって形成している。また、断熱材１の中央部に縦に設けた溝６もさらなる幅の縮小を図るために設けられたものであるが、この中央部の溝６は必ずしも必要ではない。また、横方向に複数本の溝７を設けて縦方向の幅の縮小の容易化も図っている。
【００２２】
前記断熱材１の左右の幅は、軸組の間隔で実際にありうるほとんどの寸法に対応させるため、図２（Ａ）に示す室外側の幅ａを３７〜４５ｃｍとし、室内側の幅ｂを３９〜４７ｃｍとしている。また、断熱材１の厚さｔを２ｃｍ〜１２ｃｍとして、一般的な柱の室内外方向の幅（１０〜１２ｃｍ）程度ないしそれ以下として室外側への筋交いの取付けを可能にし、また、筋交いがない場合には厚みを自由に設計できるようにしている。また、この実施の形態では溝5〜７の深さｈを２ｃｍ〜１０ｃｍ、溝５〜７の幅ｗを５ｍｍ〜１５ｍｍとしている。
【００２３】
前記断熱材１の室内側のほぼ高さ方向の中間部の左右には、スイッチボックスを収容する切り欠き穴を設けるための溝９を設け、下部の左右にはコンセントボックスを収容する切り欠き穴を設けるための溝１０を設けている。
【００２４】
防湿シート２は、図１（Ａ）、（Ｂ）に示すように、断熱材１の周囲に、側面、上下面から断熱材１からはみ出す部分を設けてそのはみ出し部分を取付け縁２ａ、２ｂとする。なお、本実施の形態においては、側面側、上下面側の各取付け縁２ａ、２ｂの幅ｃ、ｄをそれぞれ１２ｃｍ、１２ｃｍとした。
【００２５】
この断熱パネルは、図２（Ｂ）、図４に示すように、例えば柱１１、間柱１２、土台１３および胴差１４により構成される軸組内に室内側から嵌め込んで取付ける。この場合、断熱材１の高さは、軸組内の高さに合わせて上下端部を切除する。この断熱材１の押し込みの際に、断熱材１の両側面８は柱１１や間柱１２に圧接して変形し、溝５の幅が狭くなり、押し込みを容易化する。また、中央に縦方向に設けた溝６も多少幅を狭くして断熱材１の押し込みを容易にする。上下方向についても、横方向に設けた溝７が断熱材１の上下幅の縮小を容易化する。
【００２６】
このようにして断熱材１を軸組内に押し込み、軸組を構成する木材の室内側の面に断熱材１の室内側の面が一致すると、防湿シート２の取付け縁２ａ、２ｂをステープル１５等の固定具で柱１１や間柱１２あるいは胴差１５や床材１６に固着するかあるいは接着する。防湿シート２の取付け後は、取付け縁２ａ、２ｂの余剰部分は切除する。
【００２７】
図5に示すように、スイッチボックス１７を設ける必要がある場所に施工される断熱パネルの場合は、切り欠き穴１８を設けるための矩形に形成された溝９に沿って断熱材１および防湿シート２の対応部分１６を切除し、この切り欠き穴１８に対応する部分にスイッチボックス１７を取付けた後、断熱パネルを施工する。１９はスイッチボックス１６を収容するために切除した部分の室外側を閉塞するために設けた発泡樹脂製断熱材でなる閉塞部材であり、施工現場において所定のサイズに切断して取付けられるものである。２０は防湿シート２の室内側に施工する仕上げ材である。
【００２８】
コンセントボックスを設ける必要がある場所に施工される断熱パネルについても同様に、矩形に形成された溝１０に沿って断熱材１を切除してコンセントボックス（図示せず）を収容する場所および対応する防湿シート２の部分を切除する。
【００２９】
このように、本発明の断熱パネルは、発泡樹脂製断熱材１の室内側に防湿シート２を貼り付けたものであるから、室内側からの断熱パネルの取付けが可能となる。このため、軸組に筋交いを施工した後であっても、その筋交いが軸組の室外側の部分または室外側寄りに取付けられるものであれば、この断熱パネルの施工が可能である。また、本発明においては、発泡樹脂製の断熱材１を用いるが、本質的に発泡材は結露しにくく、繊維を断熱材に用いた場合のように、湿気が内部に浸入して結露して材質を劣化させ、断熱性を低下させることがない。また、断熱材１の室内側に防湿シート２を設けたので、室内側の湿気が断熱材１側に流出して結露することが防止され、断熱材１における結露がよりよく防止される。
【００３０】
また、前記断熱材１の側面８は室内側の幅が室外側の幅より大きいテーパー形をなすと共に、室内側の少なくとも両側に、幅の縮小を容易化する溝５を有するので、軸組内開口部の幅が狭い場合は溝５の幅が縮小して軸組内への断熱パネルの挿入が容易となると共に、柱１１や間柱１２等のサイズによる軸組内開口部の間隔の相違に容易に対応できる。
【００３１】
また、断熱材１の室内側に、スイッチボックス１６を収容する切り欠き穴を設けるため溝９や、コンセントボックスを収容する切り欠き穴を設けるための溝１０を設けたので、スイッチボックスやコンセントボックスを収容するための切り欠き部の形成が容易となる。
【００３２】
また、図６に示すように、前記溝５を電気配線２１を通すことができる幅に設定して電気配線２１を通すことができる。この構造により、電気配線２１が断熱パネルにより保護されると共に、屋内配線２１が整然とセットでき、その後の内装仕上げの邪魔にならない。
【００３３】
上記実施の形態においては、１枚の断熱材１を複数枚の断熱材素体１ａ〜１ｃにより構成している。このような構成にすれば、大型で専用の成形機を必要とせず、一般的な成形機で成形できる意味において有利となる。なぜならば、この種の断熱材１の成形機は梱包材の成形を基本形にしており、１３４ｃｍ×１５８ｃｍまでの断熱材ならば一般的な汎用の成形機で成形できる。しかしながら、この種の建物の壁に用いる成形材は３００ｃｍ程度の長さが必要となるので、これを１枚の成形材として成形するには一般の成形機が流用できず、専用の成形機が必要となり、大きな設備投資が必要になる。しかしながら、上記実施の形態で示した断熱材は、幅が３９ｃｍ、断熱材素体１ａ〜１ｃの長さがそれぞれ９５ｃｍ（または１ａ、１ｂ＝９５ｃｍ、１ｃ＝６５ｃｍ）のように、長さが１５８ｃｍ以下の長さの断熱材素体の組み合わせによって１枚の断熱材１を構成しているので、設備投資が大幅に低減される。なお、上記の記載から明らかなように、複数の断熱材素体により断熱材１を構成しても一般的な成形機を用いて成形できる。
【００３４】
このように断熱材１を分割構造にする場合、単純形状の板材の短面どうしを接着剤により接合する構造も採用可能である。しかしそのような構造にすると、つなぎ目に断熱材の無い隙間が存在することになるので、上記実施の形態や図７（Ａ）、（Ｂ）のように、断熱材素体１ａ、１ｂの端部３Ａ、３Ｂの幅を半分にして図７（Ｃ）に示すように互いに重ね合わせる構造（あいじゃくり形状）とすることが好ましい。いずれの場合も、防湿シート２は断熱材素体１ａ、１ｂどうしが分離することを防ぐ接着剤の役目を果たす。
【００３５】
断熱材の組み合わせ構造のさらに好ましい構造を図８に示す。この構造は、図８（Ａ）に示すように、断熱材素体１ａの端部に厚みの半分の幅の凹部２２を形成すると共に、その凹部２２に突出部２３と穴（または凹部）２４を形成する。他方の断熱材素体１ｂには、その端部に前記凹部２２に嵌まる、すなわち素体１ｂの厚みの半分の厚みの延出部２５を形成し、その延出部２５に、前記突出部２３と穴（または凹部）２４にそれぞれ嵌る穴（または凹部）２７と突出部２６を形成して図８（Ｃ）に示すように組合わせたものである。
【００３６】
このような組合わせ構造にすれば、第１に、断熱材素体１ａと１ｂが長さ方向に外れようとする引張り力に対し、突出部２３、２６と穴（または凹部）２７、２４との嵌合により、また、延出部２３と凹部２２との嵌合による摩擦力により抵抗して外れない。また、断熱材素体１ａ、１ｂが厚み方向に外れようとする引き抜き力に対し、突出部２３、２６と穴（または凹部）２４、２７との間の摩擦力、および延出部２５と凹部２２との嵌合による摩擦力により外れない。
【００３７】
さらに、断熱材素体１ａ、１ｂに防湿シート２が貼り付けられるので、互いの断熱材素体１ａ、１ｂが長手方向に外れようとする力に対し、防湿シート２が接着面全体の剪断力で抵抗するので外れない。また、断熱材素体１ａ、１ｂが厚み方向に外れようとする引き抜き力に対し、防湿シート２の接着力が、断熱材素体１ａ、１ｂが外れようとする力に抵抗し外れない。また、突出部２３、２６の先端や穴（または凹部）２４、２７の入口部分を面取りすることにより、互いの位置に多少の位置ずれがあっても入り易くなり、断熱材素体１ａ、１ｂどうしの組み合わせ作業を容易化し、作業能率を上げることができる。
【図面の簡単な説明】
【００３８】
【図１】（Ａ）、（Ｂ）はそれぞれ本発明の断熱パネルの一実施の形態を示す側面図および室外側から見た正面図である。
【図２】（Ａ）は本実施の形態の断熱パネルの平面図、（Ｂ）はその軸組への取付け状態を示す平面図である。
【図３】（Ａ）は本実施の形態の断熱材を室内側から見た背面図、（Ｂ）はその断熱材素体の組合わせ部の分解背面図、（Ｃ）は同じく分解側面図である。
【図４】本実施の形態の断熱パネルの軸組への取付け状態を示す側面断面図である。
【図５】本実施の形態の断熱パネルのスイッチボックスの取付け構造を示す平面断面図である。
【図６】本実施の形態の断熱パネルの電気配線の取付け構造を示す平面断面図である。
【図７】（A）、（B）は本発明において用いる断熱材素体どうしの接続部の構造を示す斜視図、（C）はその接続構造を示す斜視図である。
【図８】（A）、（B）は本発明において用いる断熱材素体どうしの接続部の構造を示す斜視図、（C）はその接続構造を示す斜視図である。
【符号の説明】
【００３９】
１：断熱材、１ａ〜１ｃ：断熱材素体、２：防湿シート、２ａ、２ｂ：取付け縁、３：延出部、４：凹部、５〜７：溝、８：側面、９：スイッチボックス用溝、１０：コンセント用溝、１１：柱、１２：間柱、１３：土台、１４：胴差、１５：ステープル、１６：床材、１７：スイッチボックス。１８：切り欠き穴、１９：閉塞部材、２０：仕上げ材、２１：電気配線、２２：凹部、２３、２６：突出部、２４、２７：穴（または凹部）、２５：延出部
【図１】
2007085095.tif 000003
【図２】
2007085095.tif 000004
【図３】
2007085095.tif 000005
【図４】
2007085095.tif 000006
【図５】
2007085095.tif 000007
【図６】
2007085095.tif 000008
【図７】
2007085095.tif 000009
【図８】
2007085095.tif 000010